(57)【要約】【課題】携帯電話機との間でＢＴ通信回線の接続中でないときに通信網から携帯電話機に受信された受信メールの受信メール情報を車載ハンズフリー装置で扱えるようにする。【解決手段】車載ハンズフリー装置２は、携帯電話機３との間でＢＴ通信回線を接続した直後に、携帯電話機３に記憶されている通信網１９から携帯電話機３に受信された受信メールに係る受信メール情報の全件を携帯電話機３から転送させる。ＢＴ通信回線を接続していないときに通信網１９から携帯電話機３に受信された受信メールに係る受信メール情報を携帯電話機３と車載ハンズフリー装置２との間で同期させることができる。【選択図】図１
2010232823.tif 000002
【特許請求の範囲】
【請求項１】
通信網との間で送受信された電子メールに係るメール情報を記憶する携帯電話機との間で近距離無線通信回線を接続する接続手段と、
携帯電話機に記憶されているメール情報を前記接続手段と当該携帯電話機とが両者の間で近距離無線通信回線を接続していることを条件として当該携帯電話機から受信するメール情報受信手段と、
前記接続手段との間で近距離無線通信回線を接続している携帯電話機から前記メール情報受信手段に受信されたメール情報を記憶するメール情報記憶手段と、
前記メール情報記憶手段に記憶されているメール情報に対するユーザ操作を受付可能な操作受付手段と、
前記操作受付手段が受付けたメール情報に対するユーザ操作に応じて前記メール情報記憶手段に記憶されているメール情報を処理する制御手段とを備え、
前記制御手段は、前記接続手段と携帯電話機とが両者の間で近距離無線通信回線を接続した直後に、当該携帯電話機に記憶されているメール情報のうち当該携帯電話機が当該接続手段との間で近距離無線通信回線を接続していないときに通信網との間で送受信された電子メールに係るメール情報を含むメール情報を前記メール情報受信手段に受信させ、当該メール情報受信手段に受信させたメール情報を前記メール情報記憶手段に記憶させることを特徴とする近距離無線通信機能付きメール操作装置。
【請求項２】
請求項１に記載した近距離無線通信機能付きメール操作装置において、
前記メール情報記憶手段は、前記接続手段との間で近距離無線通信回線を接続する複数の携帯電話機の個々に対応する複数の記憶領域を有し、
前記制御手段は、前記接続手段との間で近距離無線通信回線を接続した携帯電話機を識別することで、前記メール情報受信手段に受信させたメール情報を前記メール情報記憶手段における当該携帯電話機に対応する記憶領域に記憶させることを特徴とする近距離無線通信機能付きメール操作装置。
【請求項３】
請求項１又は２に記載した近距離無線通信機能付きメール操作装置において、
前記制御手段は、前記接続手段と携帯電話機とが両者の間で近距離無線通信回線を接続した直後に、当該携帯電話機に記憶されているメール情報のうち当該携帯電話機が当該接続手段との間で近距離無線通信回線を接続していないときに通信網との間で送受信された電子メールに係るメール情報を含むメール情報を前記メール情報受信手段に受信させ、当該メール情報受信手段に受信させたメール情報を当該メール情報記憶手段に記憶させた後では、当該メール情報記憶手段に記憶させたメール情報を当該接続手段と当該携帯電話機とが両者の間で接続している近距離無線通信回線を切断した直後に消去することを特徴とする近距離無線通信機能付きメール操作装置。
【発明の詳細な説明】
【技術分野】
【０００１】
本発明は、通信網との間で送受信された電子メールに係るメール情報を記憶可能な携帯電話機との間で近距離無線通信回線を接続可能であり、携帯電話機に記憶されているメール情報を当該携帯電話機との間で近距離無線通信回線を接続していることを条件として当該携帯電話機から受信可能な近距離無線通信機能付きメール操作装置に関する。
【背景技術】
【０００２】
Ｂｌｕｅｔｏｏｔｈ（登録商標）（以下、ＢＴと称する）通信機能を有する車載装置が搭載されている車両の車室内にＢＴ通信機能を有する携帯電話機が持込まれ、それら携帯電話機と車載装置とが両者の間でＢＴ通信回線を接続している状態で、通信網から携帯電話機への電子メールの着信が発生すると、携帯電話機から当該着信した電子メールに係るメール情報（着信日時、発信元、件名及び本文等）が車載装置に転送される構成が開示されている（例えば特許文献１参照）。
【特許文献１】特開２００３−２５６３４１号公報
【発明の開示】
【発明が解決しようとする課題】
【０００３】
上記した特許文献１に記載されている構成では、携帯電話機と車載装置とが両者の間でＢＴ通信回線を接続している状態であれば、ＢＴ通信回線の接続中に通信網から携帯電話機に受信された電子メールに係るメール情報が車載装置に転送されることで、それらのメール情報が携帯電話機と車載装置との間で同期される（記憶内容が同一とされる）。その結果、ユーザは、ＢＴ通信回線の接続中に通信網から携帯電話機に受信された電子メールに係るメール情報を車載装置で扱う（本文を表示させたり件名を一覧表示させたりする）ことが可能となる。
【０００４】
しかしながら、上記した特許文献１に記載されている構成では、ＢＴ通信回線の接続中でないときに通信網から携帯電話機に受信された電子メールに係るメール情報が携帯電話機と車載装置との間で同期されることはなく、ユーザは、ＢＴ通信回線の接続中でないときに通信網から携帯電話機に受信された電子メールに係るメール情報を車載装置で扱うことは不可能である。
【０００５】
本発明は、上記した事情に鑑みてなされたものであり、その目的は、携帯電話機との間で近距離無線通信回線の接続中でないときに当該携帯電話機と通信網との間で送受信された電子メールに係るメール情報をユーザが近距離無線通信機能付きメール操作装置で扱うことができ、操作性を高めることができる近距離無線通信機能付きメール操作装置を提供することにある。
【課題を解決するための手段】
【０００６】
請求項１に記載した発明によれば、制御手段は、接続手段と携帯電話機とが両者の間で近距離無線通信回線を接続した直後に、当該携帯電話機に記憶されているメール情報のうち当該携帯電話機が当該接続手段との間で近距離無線通信回線を接続していないときに通信網との間で送受信された電子メールに係るメール情報を含むメール情報をメール情報受信手段に受信させ、当該メール情報受信手段に受信させたメール情報をメール情報記憶手段に記憶させる。その後、メール情報に対するユーザ操作を操作受付手段が受付けると、制御手段は、当該操作受付手段が受付けたユーザ操作に応じてメール情報記憶手段に記憶されているメール情報を処理する。
【０００７】
これにより、接続手段と携帯電話機とが両者の間で近距離無線通信回線を接続した直後に、携帯電話機との間で近距離無線通信回線を接続していないときに携帯電話機と通信網との間で送受信された電子メールに係るメール情報が携帯電話機から近距離無線通信機能付きメール操作装置に転送されることで、それらのメール情報を携帯電話機と近距離無線通信機能付きメール操作装置との間で同期させることができる（記憶内容を同一とすることができる）。その結果、携帯電話機との間で近距離無線通信回線の接続中でないときに当該携帯電話機と通信網との間で送受信された電子メールに係るメール情報をユーザが近距離無線通信機能付きメール操作装置で扱うことができ、操作性を高めることができる。
【０００８】
請求項２に記載した発明によれば、メール情報記憶手段は、接続手段との間で近距離無線通信回線を接続する複数の携帯電話機の個々に対応する複数の記憶領域を有し、制御手段は、接続手段との間で近距離無線通信回線を接続した携帯電話機を識別することで、メール情報受信手段に受信させたメール情報をメール情報記憶手段における当該携帯電話機に対応する記憶領域に記憶させる。これにより、接続手段との間で近距離無線通信回線を接続可能な複数の携帯電話機の個々を対象とし、携帯電話機との間で近距離無線通信回線を接続していないときに携帯電話機と通信網との間で送受信された電子メールに係るメール情報を携帯電話機と近距離無線通信機能付きメール操作装置との間で同期させることができる。
【０００９】
請求項３に記載した発明によれば、制御手段は、接続手段と携帯電話機とが両者の間で近距離無線通信回線を接続した直後に、当該携帯電話機に記憶されているメール情報のうち当該携帯電話機が当該接続手段との間で近距離無線通信回線を接続していないときに通信網との間で送受信された電子メールに係るメール情報を含むメール情報をメール情報受信手段に受信させ、当該メール情報受信手段に受信させたメール情報をメール情報記憶手段に記憶させた後では、メール情報記憶手段に記憶させたメール情報を当該接続手段と当該携帯電話機とが両者の間で接続している近距離無線通信回線を切断した直後に消去する。これにより、近距離無線通信回線を切断した後に、携帯電話機から転送されたメール情報がメール情報記憶手段に記憶されたままで残ってしまうことを回避することができ、携帯電話機から転送されたメール情報が例えば第三者により悪用されることを回避することができる。
【図面の簡単な説明】
【００１０】
【図１】本発明の一実施形態を示す機能ブロック図
【図２】記憶部の受信メール情報記憶領域を示す図
【図３】フローチャート（その１）
【図４】フローチャート（その２）
【図５】シーケンス図
【発明を実施するための形態】
【００１１】
以下、本発明の近距離無線通信機能付きメール操作装置をＢｌｕｅｔｏｏｔｈ（登録商標）（以下、ＢＴと称する）通信機能を有するＢＴ対応の車載ハンズフリー装置に適用した一実施形態について、図面を参照して説明する。尚、ここでは、車載ハンズフリー装置が搭載されている車両の車室内に、ＢＴ通信機能を有するＢＴ対応の携帯電話機が持込まれ、車載ハンズフリー装置と携帯電話機とがＢＴ通信可能な状態にある場合を説明する。
【００１２】
車載ハンズフリーシステム１は、車載ハンズフリー装置２と携帯電話機３とから構成されている。車載ハンズフリー装置２は、制御部４（本発明でいう操作受付手段、制御手段）と、ＢＴインタフェース（ＩＦ）部５（本発明でいう接続手段、メール情報受信手段）と、通話音声処理部６と、記憶部７（本発明でいうメール情報記憶手段）と、表示制御部８と、タッチ操作入力部９と、信号入力部１０とを備えて構成されている。
【００１３】
制御部４は、周知のマイクロコンピュータからなるＣＰＵ、ＲＡＭ、ＲＯＭ及びＩ／Ｏバス等を有し、車載ハンズフリー装置２の通信動作や情報管理動作等の動作全般を制御する。ＢＴインタフェース部５は、携帯電話機３との間でＢＴ通信を行う機能を有し、携帯電話機３との間でＢＴ通信回線（本発明でいう近距離無線通信回線）を接続している状態でＢＴの通信規格により定義されているハンズフリー通話を実現するためのハンズフリー・プロファイル（ＨＦＰ）と電子メールに係るメール情報の転送を実現するためのメッセージ・アクセス・プロファイル（ＭＡＰ）とを同時接続（所謂マルチ接続）可能に構成されている。
【００１４】
ここでいう電子メールとは周知のコンピュータネットワークを通じて交換される文字メッセージや画像情報等の総称である。又、ＢＴインタフェース部５は、これらＨＦＰ及びＭＡＰの他に、電話帳情報や発信履歴情報や着信履歴情報の転送を実現するためのフォンブック・アクセス・プロファイル（ＰＢＡＰ）や各種情報の転送を実現するためのオブジェクト・プッシュ・プロファイル（ＯＰＰ）等を接続可能に構成されている。これらプロファイルは、機能毎に定義された通信プロトコルを意味している。
【００１５】
通話音声処理部６には車室内にあって例えばハンドルの近傍等のユーザが発した音声を集音し易い部位に配置されているマイクロホン１１が接続されていると共に、車載ハンズフリー装置２の外部に配置されているオーディオアンプ１２が接続されており、オーディオアンプ１２には２個のスピーカ１３、１４が接続されている。スピーカ１３は例えば運転席ドアに配置され、スピーカ１４は例えば助手席ドアに配置されている。又、オーディオアンプ１２にはチューナーデッキ１５も接続されており、オーディオアンプ１２はチューナーデッキ１５が例えば音楽用記録媒体から再生した楽曲音やラジオ放送局から受信したラジオ番組を当該チューナーデッキ１５から入力すると、それら入力した楽曲音やラジオ番組を増幅してスピーカ１３、１４から出力させる。
【００１６】
記憶部７は、各種情報を記憶可能に構成されており、ＢＴインタフェース部５との間でＢＴ通信回線を接続する複数の携帯電話機３の個々に対応し、通信網１９から携帯電話機３に受信された電子メールである受信メールに係る受信メール情報を記憶する受信メール情報記憶領域と携帯電話機３から通信網１９に送信された電子メールである送信メールに係る送信メール情報を記憶する送信メール情報記憶領域とを有して構成されている。
【００１７】
受信メール情報記憶領域は、図２に示すように、ＢＴインタフェース部５との間でＢＴ通信回線を接続する携帯電話機３の台数分だけ確保されており、受信メール情報記憶領域に記憶される受信メール情報は通信網１９から携帯電話機３に受信された電子メールの着信日時、発信元、件名及び本文を含む情報である。又、図２では、携帯電話機Ａにおける受信メール情報の最大記憶可能な件数をｎａ、携帯電話機Ｂにおける受信メール情報の最大記憶可能な件数をｎｂ、携帯電話機Ｎにおける受信メール情報の最大記憶可能な件数をｎｎとして示しているが、それら各携帯電話機３における受信メール情報の最大記憶可能な件数は固定値であっても良いし可変値であっても良い。又、それら受信メール情報の最大記憶可能な件数は対応する携帯電話機３における仕様上の最大記憶可能な件数と同値であっても良い。
【００１８】
送信メール情報記憶領域は、図示しないが、上記した受信メール情報記憶領域と同様に、ＢＴインタフェース部５との間でＢＴ通信回線を接続する携帯電話機３の台数分だけ確保されており、送信メール情報記憶領域に記憶される送信メール情報は携帯電話機３から通信網１９に送信された電子メールの発信日時、発信先、件名及び本文である。この場合も、各携帯電話機３における送信メール情報の最大記憶可能な件数は固定値であっても良いし可変値であっても良い。又、それら送信メール情報の最大記憶可能な件数は対応する携帯電話機３における仕様上の最大記憶可能な件数と同値であっても良い。
【００１９】
又、記憶部７は、このように受信メール情報を記憶する受信メール情報記憶領域及び送信メール情報を記憶する送信メール情報記憶領域を有していることに加えて、例えば電話番号と登録名との対応を表す電話帳情報を記憶する電話帳情報記憶領域、車載ハンズフリー装置２からの発信動作又は当該車載ハンズフリー装置２との間でＨＦＰを接続している携帯電話機３からの発信動作に係る発信時刻と発信電話番号との対応を表す発信履歴情報を記憶する発信履歴情報記憶領域、車載ハンズフリー装置２との間でＨＦＰを接続している携帯電話機３の着信動作に係る着信時刻と着信電話番号との対応を表す着信履歴情報を記憶する着信履歴情報記憶領域等を有して構成されている。
【００２０】
信号入力部１０は、キースイッチからアクセサリ（ＡＣＣ）信号を入力し、制御部４は、キースイッチから入力しているＡＣＣ信号がオン（ハイレベル）である場合には車載ハンズフリー装置２を電源オン状態として車載バッテリからの動作電力を全ての機能ブロックに供給させることで通常動作させ（ウェイクアップ状態で動作させ）、一方、キースイッチから入力しているＡＣＣ信号がオフ（ロウレベル）である場合には車載ハンズフリー装置２を電源オフ状態として車載バッテリからの動作電力を限定した機能ブロックに供給させることで低消費電力動作させる（スリープ状態で動作させる）。
【００２１】
ディスプレイ装置１６は、各種表示画面を表示する表示装置１７と、表示画面上にタッチスイッチを形成するタッチ操作入力装置１８とを備えて構成されている。表示制御部８は、制御部４から表示指令通知を入力すると、その入力した表示指令通知に基づいてディスプレイ装置１６における表示装置１７の表示動作を制御する。タッチ操作入力部９は、ユーザが表示画面上に形成されているタッチスイッチを操作したことに応じてタッチ操作入力装置１８から操作検出通知を入力すると、その入力した操作検出通知を制御部４に出力し、制御部４は、タッチ操作入力部９から入力した操作検出通知を解析する。
【００２２】
尚、上記した構成において、記憶部７の受信メール情報記憶領域及び送信メール情報記憶領域は揮発性の性質を有しており、例えばユーザが降車することを目的としてイグニッションキーをオフ位置まで回動させたことに応じて制御部４がキースイッチから入力しているＡＣＣ信号がオフになったと判定して装置電源をオフすると、ＡＣＣ信号がオフになる直前の段階で受信メール情報記憶領域に記憶されていた受信メール情報及び送信メール情報記憶領域に記憶されていた送信メール情報は記憶状態が保持されることなく消去されるようになっている。
【００２３】
又、制御部４は、タッチ操作入力部９から入力した操作検出通知を解析した結果として、ユーザが記憶部７に記憶されているメール情報に対して本文を表示させたり件名を一覧表示させたりする操作をタッチ操作入力装置１８により行ったと判定すると、その操作検出通知を解析した結果に応じた表示指令通知を表示制御部８に出力することで、ユーザが指定したメール情報の本文をディスプレイ装置１６に表示させたり件名をディスプレイ装置１６に一覧表示させたりする。
【００２４】
携帯電話機３は、自機の動作全般を制御する制御部、通信網１９との間で電話通信を行う電話通信部、ＢＴ通信を行うＢＴインタフェース部、ユーザが操作する各種キーが配列されてなるキー入力部、通信網１９から自機に受信された電子メールである受信メールに係る受信メール情報を記憶する受信メール情報記憶領域や自機から通信網１９に送信された電子メールである送信メールに係る送信メール情報を記憶する送信メール情報記憶領域や例えば電話番号と登録名との対応を表す電話帳情報記憶領域等を有する記憶部、各種表示画面を表示する表示部、ユーザが発した音声を入力するマイクロホン、通話相手から受信した音声を受話音声として出力するスピーカを備えて構成されている。
【００２５】
この場合、携帯電話機３のＢＴインタフェース部は、車載ハンズフリー装置２との間でＢＴ通信を行う機能を有し、車載ハンズフリー装置２のＢＴインタフェース部５と同様にしてＨＦＰとＭＡＰとを同時接続可能に構成されている。尚、上記した構成でいう通信網１９とは携帯電話基地局や基地局制御装置等の周知の携帯電話通信サービスを提供する設備を含むものである。
【００２６】
次に、上記した構成の作用について、図３乃至図５を参照して説明する。図３は車載ハンズフリー装置２が行うＢＴ通信回線接続処理をフローチャートにより示しており、図４は車載ハンズフリー装置２が行うＢＴ通信回線切断処理をフローチャートにより示しており、図５は携帯電話機３と車載ハンズフリー装置２とが両者の間で行う処理をシーケンス図により示している。尚、ここでは、携帯電話機３と車載ハンズフリー装置２とが両者の間でＢＴ通信回線を接続しているときに携帯電話機３に記憶されている受信メール情報が当該携帯電話機３から車載ハンズフリー装置２に転送される場合を説明する。
【００２７】
（１）ＢＴ通信回線接続処理
車載ハンズフリー装置２において、制御部４は、携帯電話機３との間でＢＴ通信回線の接続要求が発生したか否かをメイン処理で周期的に監視しており、携帯電話機３との間でＢＴ通信回線の接続要求が発生したと判定すると、メイン処理から図３に示すＢＴ通信回線接続処理を割込み処理で開始する。
【００２８】
制御部４は、ＢＴ通信回線接続処理を開始すると、ＢＴ接続要求をＢＴインタフェース部５から携帯電話機３に送信させ（ステップＳ１）、携帯電話機３からＢＴ接続応答をＢＴインタフェース部５により受信するのを待機する（ステップＳ２）。ここで、制御部４は、携帯電話機３から当該携帯電話機３を識別可能である例えばＢＴアドレス等の識別情報が含まれているＢＴ接続応答をＢＴインタフェース部５により受信したと判定すると（ステップＳ２にて「ＹＥＳ」）、ＢＴインタフェース部５と携帯電話機３との間でＢＴ通信回線を接続させ（ステップＳ３）、ハンズフリー通話を実現するためのＨＦＰを接続させ（ステップＳ４）、メール転送を実現するためのＭＡＰを接続させる（ステップＳ５）。この場合、制御部４は、ＢＴ接続応答に含まれている識別情報を解析することでＢＴ通信回線の接続相手である携帯電話機３を識別する。
【００２９】
次いで、制御部４は、受信メール一覧要求をＢＴインタフェース部５から携帯電話機３に送信させ（ステップＳ６）、携帯電話機３から受信メール一覧応答をＢＴインタフェース部５により受信するのを待機する（ステップＳ７）。携帯電話機３は、このようにして車載ハンズフリー装置２から送信された受信メール一覧要求が受信すると、その時点で自機の記憶部の受信メール情報記憶領域を参照し、その時点で受信メール情報記憶領域に記憶されている受信メール情報の全ての件数を取得し、その取得した全ての件数を含む受信メール一覧応答を車載ハンズフリー装置２に送信する。
【００３０】
制御部４は、携帯電話機３から受信メール一覧応答をＢＴインタフェース部５により受信したと判定すると（ステップＳ７にて「ＹＥＳ」）、受信メール一覧応答に含まれている件数を記憶し、受信メール転送要求をＢＴインタフェース部５から携帯電話機３に送信させ（ステップＳ８）、携帯電話機３から受信メール転送応答をＢＴインタフェース部５により受信するのを待機する（ステップＳ９）。携帯電話機３は、このようにして車載ハンズフリー装置２から送信された受信メール転送要求を受信すると、その時点で自機の記憶部の受信メール情報記憶領域に記憶されている全ての受信メールについて１件毎の受信メールに係る受信メール情報を含む受信メール転送応答を例えば着信日時が新しい順にしたがって車載ハンズフリー装置２に送信する。
【００３１】
制御部４は、携帯電話機３から１件分の受信メール情報が含まれている受信メール転送応答をＢＴインタフェース部５により受信したと判定すると（ステップＳ９にて「ＹＥＳ」）、その受信メール転送応答に含まれている１件分の受信メール情報を記憶部７の受信メール情報記憶領域に記憶させ、その受信メール転送応答に含まれている何件目であるかの情報と先に記憶した件数とを比較判定することで最後の受信メール情報が含まれている受信メール転送応答であるか否かを判定する（ステップＳ１０）。
【００３２】
そして、制御部４は、最後の受信メール情報が含まれている受信メール転送応答でないと判定すると（ステップＳ１０にて「ＮＯ」）、上記したステップＳ９に戻り、上記した処理を繰返して行う。一方、制御部４は、最後の受信メール情報が含まれている受信メール転送応答であると判定すると（ステップＳ１０にて「ＹＥＳ」）、受信メール情報を受信メール情報記憶領域に記憶させる記憶動作を完了し（ステップＳ１１）、ＢＴ通信回線接続処理を終了してメイン処理に戻る。
【００３３】
即ち、制御部４は、ＢＴインタフェース部５と携帯電話機３との間でＢＴ通信回線を接続させると、その直後に、ＢＴ通信回線を接続させた携帯電話機３の記憶部の受信メール情報記憶領域に記憶されている受信メール情報の全件を当該携帯電話機３から転送させて記憶部７の受信メール情報記憶領域に記憶させることで、携帯電話機３との間でＢＴ通信回線を接続していないときに通信網１９から携帯電話機３に受信された受信メールに係る受信メール情報を同期させる。
【００３４】
これにより、ユーザは、このような携帯電話機３から車載ハンズフリー装置２への受信メール情報の転送が完了した後では、携帯電話機３と車載ハンズフリー装置２とが両者の間でＢＴ通信回線を接続していないときに通信網１９から携帯電話機３に受信された受信メールに係る受信メール情報を車載ハンズフリー装置２のタッチ操作入力装置１８を操作することで例えば本文を表示させたり件名を一覧表示させたりすることが可能となる。尚、上記した携帯電話機３から車載ハンズフリー装置２への受信メール情報の転送は、ＭＡＰが利用されて行われても良いし、ＨＦＰのデータ転送機能によりＨＦＰが利用されて行われても良い。
【００３５】
（２）ＢＴ通信回線切断処理
車載ハンズフリー装置２において、制御部４は、携帯電話機３との間で接続させているＢＴ通信回線の切断要求が発生したか否かをメイン処理で周期的に監視しており、携帯電話機３との間でＢＴ通信回線の切断要求が発生したと判定すると、メイン処理から図４に示すＢＴ通信回線切断処理を割込み処理で開始する。
【００３６】
制御部４は、ＢＴ通信回線切断処理を開始すると、ＢＴ切断要求をＢＴインタフェース部５から携帯電話機３に送信させ（ステップＳ２１）、携帯電話機３からＢＴ切断応答をＢＴインタフェース部５により受信するのを待機する（ステップＳ２２）。ここで、制御部４は、ＢＴ切断応答をＢＴインタフェース部５により受信したと判定すると（ステップＳ２２にて「ＹＥＳ」）、ＢＴインタフェース部５と携帯電話機３との間で接続させているＢＴ通信回線を切断させ（ステップＳ２３）、その時点で記憶部７の受信メール情報記憶領域に記憶されている全ての受信メール情報を消去し（ステップＳ２４）、ＢＴ通信回線切断処理を終了してメイン処理に戻る。
【００３７】
即ち、制御部４は、ＢＴインタフェース部５と携帯電話機３との間で接続させているＢＴ通信回線を切断させると、その直後に、ＢＴ通信回線を接続させた直後に記憶部７の受信メール情報記憶領域に記憶させた全ての受信メール情報を消去する。
【００３８】
尚、制御部４は、携帯電話機３から車載ハンズフリー装置２に受信メール情報が転送されている途中で通信網１９から携帯電話機３への新たなメール着信が発生した場合には、その新たに発生したメール着信が完了した後に、その新たに発生したメール着信に対応する受信メールに係る受信メール情報をも含めて携帯電話機３から車載ハンズフリー装置２への受信メール情報の転送を最初から再開させる。
【００３９】
以上に説明したように本実施形態によれば、車載ハンズフリー装置２において、携帯電話機３との間でＢＴ通信回線を接続した直後に、携帯電話機３に記憶されている通信網１９から携帯電話機３に受信された受信メールに係る受信メール情報の全件が携帯電話機３から転送されるように構成したので、ＢＴ通信回線を接続していないときに通信網１９から携帯電話機３に受信された受信メールに係る受信メール情報を携帯電話機３と車載ハンズフリー装置２との間で同期させることができ（記憶内容を同一とすることができ）、その結果、携帯電話機３との間でＢＴ通信回線の接続中でないときに通信網１９から携帯電話機３に受信された受信メールに係る受信メール情報をユーザが車載ハンズフリー装置２で扱うことができ、操作性を高めることができる。
【００４０】
又、ＢＴ通信回線を接続する複数の携帯電話機３の個々に対応して受信メール情報記憶領域を設けたので、車載ハンズフリー装置２との間でＢＴ通信回線を接続可能な複数の携帯電話機３の個々を対象とし、ＢＴ通信回線を接続していないときに通信網１９から携帯電話機３に受信された受信メールに係る受信メール情報を携帯電話機３と車載ハンズフリー装置２との間で同期させることができる。
【００４１】
又、携帯電話機３との間でＢＴ通信回線を接続した直後に携帯電話機３から転送されて記憶させた受信メール情報を携帯電話機３との間でＢＴ通信回線を切断した直後に消去するように構成したので、ＢＴ通信回線を切断した後に、携帯電話機３から転送された受信メール情報が記憶されたままで残ってしまうことを回避することができ、携帯電話機３から転送されたメール情報が例えば第三者により悪用されることを回避することができる。
【００４２】
本発明は、上記した実施形態にのみ限定されるものではなく、以下のように変形又は拡張することができる。
近距離無線通信機能付きメール操作装置は、ハンズフリー機能を有する車載ハンズフリー装置２に限らず、メール情報を操作する機能を有している装置であれば、例えば車載ナビゲーション装置等の別の車載装置であっても良いし、車両に搭載される車載装置に限らず、ユーザが携帯可能な携帯機器やユーザが携帯不可能な据置型の固定機器であっても良い。
【００４３】
通信網１９から携帯電話機３に受信された受信メールに係る受信メール情報を対象とすることに限らず、携帯電話機３から通信網１９に送信された送信メールに係る送信メール情報を対象としても良い。即ち、携帯電話機３に記憶されている送信メール情報を当該携帯電話機３から車載ハンズフリー装置２に転送させることで、携帯電話機３との間でＢＴ通信回線を接続していないときに携帯電話機３から通信網１９に送信された送信メールに係る送信メール情報を同期させても良い。又、携帯電話機３に記憶されている受信メール情報と送信メール情報との双方を当該携帯電話機３から車載ハンズフリー装置２に転送させることで、それら受信メール情報と送信メール情報との双方を同期させても良い。
【００４４】
更に、携帯電話機３から車載ハンズフリー装置２に送信メール情報が転送されている途中で携帯電話機３から通信網１９への新たなメール発信が発生した場合には、その新たに発生したメール発信が完了した後に、その新たに発生したメール発信に対応する送信メールに係る送信メール情報をも含めて携帯電話機３から車載ハンズフリー装置２への送信メール情報の転送を最初から再開させるようにしても良い。
【符号の説明】
【００４５】
図面中、２は車載ハンズフリー装置（近距離無線通信機能付きメール操作装置）、３は携帯電話機、４は制御部（操作受付手段、制御手段）、５はＢＴインタフェース部（接続手段、メール情報受信手段）、７は記憶部（メール情報記憶手段）、１９は通信網である。
【図１】
2010232823.tif 000003
【図２】
2010232823.tif 000004
【図３】
2010232823.tif 000005
【図４】
2010232823.tif 000006
【図５】
2010232823.tif 000007